(57)【要約】  既存のＬＴＥシステムと異なる構成を適用して通信を行う場合に、ＣＳＩ報告等のＵＬ送信を適切に制御するために、本開示の一態様に係るユーザ端末は、基地局からの指示に基づいて１以上のＵＬ信号を上り共有チャネルを利用して送信する送信部と、複数のＵＬ信号の送信期間が同じシンボルで重複しないと想定して送信を制御する、又は、複数のＵＬ信号の送信期間の少なくとも一部が同じシンボルで重複する場合に、一部のＵＬ信号を選択して送信するように制御する制御部と、を有する。
2019180886.tif 000002
【特許請求の範囲】
【請求項１】
基地局からの指示に基づいて１以上のＵＬ信号を上り共有チャネルを利用して送信する送信部と、
複数のＵＬ信号の送信期間が同じシンボルで重複しないと想定して送信を制御する、又は、複数のＵＬ信号の送信期間の少なくとも一部が同じシンボルで重複する場合に、一部のＵＬ信号を選択して送信するように制御する制御部と、を有することを特徴とするユーザ端末。
【請求項２】
前記制御部は、異なる下り制御情報に基づいて送信が指示される前記複数のＵＬ信号の送信期間が同一スロット内の異なるシンボルに設定され得ると想定することを特徴とする請求項１に記載のユーザ端末。
【請求項３】
前記制御部は、前記複数のＵＬ信号の送信用に複数の上り共有チャネルがスケジューリングされる場合、送信開始タイミングが遅い上り共有チャネルを利用して前記一部のＵＬ信号を送信するように制御することを特徴とする請求項１に記載のユーザ端末。
【請求項４】
前記制御部は、ＵＬ送信の方式、ＵＬ信号種別、ＵＬ送信に対応するセル種別、及びＵＬ信号のインデックス番号の少なくとも一つに基づいて前記一部のＵＬ信号を決定することを特徴とする請求項１又は請求項３に記載のユーザ端末。
【請求項５】
基地局からの指示に基づいて１以上のＵＬ信号を上り共有チャネルを利用して送信する送信部と、
複数のＵＬ信号の送信用にスケジューリングされる複数の上り共有チャネルの送信期間の少なくとも一部が同じシンボルで重複する場合に、前記複数の上り共有チャネルの送信期間が重複しないように少なくとも一つの上り共有チャネルの送信開始タイミングをシフトするように制御する制御部と、を有することを特徴とするユーザ端末。
【請求項６】
基地局からの指示に基づいて１以上のＵＬ信号を上り共有チャネルを利用して送信する工程と、
複数のＵＬ信号の送信期間が同じシンボルで重複しないと想定して送信を制御する、又は、複数のＵＬ信号の送信期間の少なくとも一部が同じシンボルで重複する場合に、一部のＵＬ信号を選択して送信するように制御する工程と、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１３）においては、ユーザ端末（ＵＥ：User  Equipment）が基地局に対して、周期的及び／又は非周期的にチャネル状態情報（ＣＳＩ：Channel  State  Information）を送信する。ＵＥは、上り制御チャネル（ＰＵＣＣＨ：Physical  Uplink  Control  Channel）及び／又は上り共有チャネル（ＰＵＳＣＨ：Physical  Uplink  Shared  Channel）を用いて、ＣＳＩを送信する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ）においては、既存のＬＴＥシステム（例えば、ＬＴＥ  Ｒｅｌ．１３以前）とは異なる上り共有チャネルの構成を利用することが検討されている。例えば、既存のＬＴＥシステムではサブフレーム単位でＰＵＳＣＨ送信が制御されるが、ＮＲではシンボル単位でＰＵＳＣＨ送信（又は、ＰＵＳＣＨの割当て）が制御されることも想定される。【０００７】
このように、既存のＬＴＥシステムと異なる構成（例えば、ＰＵＳＣＨ構成）を適用してＣＳＩ報告を行う場合、既存のＬＴＥシステムのＣＳＩ報告の制御方法をそのまま適用することは困難となる。【０００８】
本発明はかかる点に鑑みてなされたものであり、既存のＬＴＥシステムと異なる構成を適用して通信を行う場合に、ＣＳＩ報告等のＵＬ送信を適切に制御することができるユーザ端末及び無線通信方法を提供することを目的の１つとする。
【課題を解決するための手段】
【０００９】
本開示の一態様に係るユーザ端末は、基地局からの指示に基づいて１以上のＵＬ信号を上り共有チャネルを利用して送信する送信部と、複数のＵＬ信号の送信期間が同じシンボルで重複しないと想定して送信を制御する、又は、複数のＵＬ信号の送信期間の少なくとも一部が同じシンボルで重複する場合に、一部のＵＬ信号を選択して送信するように制御する制御部と、を有することを特徴とする。
【発明の効果】
【００１０】
本開示の一態様によれば、既存のＬＴＥシステムと異なる構成を適用して通信を行う場合に、ＣＳＩ報告等のＵＬ送信を適切に制御することができる。
【図面の簡単な説明】
【００１１】
【図１】図１は、Ａ−ＣＳＩの送信制御の一例を示す図である。
【図２】図２は、第１の態様におけるＵＬ送信制御の一例を示す図である。
【図３】図３Ａ及び図３Ｂは、第１の態様におけるＵＬ送信制御の他の例を示す図である。
【図４】図４は、第２の態様におけるＵＬ送信制御の一例を示す図である。
【図５】図５は、第２の態様におけるＵＬ送信制御の他の例を示す図である。
【図６】図６Ａ及び図６Ｂは、は、第２の態様におけるＵＬ送信制御の他の例を示す図である。
【図７】図７Ａ及び図７Ｂは、は、第２の態様におけるＵＬ送信制御の他の例を示す図である。
【図８】図８は、第３の態様におけるＵＬ送信制御の一例を示す図である。
【図９】図９は、一実施形態に係る無線通信システムの概略構成の一例を示す図である。
【図１０】図１０は、一実施形態に係る無線基地局の全体構成の一例を示す図である。
【図１１】図１１は、一実施形態に係る無線基地局の機能構成の一例を示す図である。
【図１２】図１２は、一実施形態に係るユーザ端末の全体構成の一例を示す図である。
【図１３】図１３は、一実施形態に係るユーザ端末の機能構成の一例を示す図である。
【図１４】図１４は、一実施形態に係る無線基地局及びユーザ端末のハードウェア構成の一例を示す図である。
【発明を実施するための形態】
【００１２】
既存のＬＴＥシステム（Ｒｅｌ．１０−１３）では、下りリンクにおいてチャネル状態を測定する参照信号が規定されている。チャネル状態測定用の参照信号は、ＣＲＳ（Cell-specific  Reference  Signal）、ＣＳＩ−ＲＳ（Channel  State  Information-Reference  Signal）とも呼ばれ、ＣＱＩ（Channel  Quality  Indicator）、ＰＭＩ（Precoding  Matrix  Indicator）、ＲＩ（Rank  Indicator）などのチャネル状態情報（ＣＳＩ）の測定に用いられる参照信号である。
【００１３】
ＵＥは、当該チャネル状態測定用の参照信号に基づいて測定した結果を、ＣＳＩとして基地局に所定タイミングでフィードバックする。ＣＳＩのフィードバック方法として、周期的なＣＳＩ（Ｐ−ＣＳＩ：Periodic  CSI）報告及び非周期的なＣＳＩ（Ａ−ＣＳＩ：Aperiodic  CSI）報告が規定されている。
【００１４】
ＵＥは、Ｐ−ＣＳＩ報告を行う場合、所定周期（例えば、５サブフレーム周期、１０サブフレーム周期など）毎にＰ−ＣＳＩのフィードバックを行う。ＵＥは、Ｐ−ＣＳＩを所定セル（例えば、プライマリセル（ＰＣｅｌｌ）、ＰＵＣＣＨセル、プライマリセカンダリセル（ＰＳＣｅｌｌ））の上り制御チャネルを用いて送信を行う。
【００１５】
ＵＥは、Ｐ−ＣＳＩの報告を行う所定タイミング（所定サブフレーム）において上りデータ（例えば、ＰＵＳＣＨ）送信がない場合、上り制御チャネル（例えば、ＰＵＣＣＨ）を用いてＰ−ＣＳＩを送信する。一方で、ＵＥは、所定タイミングにおいて上りデータ送信がある場合、上り共有チャネルを用いてＰ−ＣＳＩの送信を行うことができる。
【００１６】
ＵＥは、Ａ−ＣＳＩ報告を行う場合、基地局からのＣＳＩトリガ（ＣＳＩ要求とも呼ぶ）に応じてＡ−ＣＳＩの送信を行う。例えば、ＵＥは、ＣＳＩトリガを受信してから所定タイミング（例えば、４サブフレーム）後にＡ−ＣＳＩ報告を行う。
【００１７】
基地局から通知されるＣＳＩトリガは、下り制御チャネルを用いて送信される上りリンクスケジューリンググラント（ＵＬグラント）用の下り制御情報（例えば、ＤＣＩフォーマット０／４）に含まれる。なお、ＵＬグラントは、ＵＬデータ（例えば、ＰＵＳＣＨ）送信及び／又はＵＬサウンディング（測定用）信号の送信をスケジューリングするＤＣＩであってもよい。
【００１８】
ＵＥは、当該ＵＬグラント用の下り制御情報に含まれるトリガに従って、ＵＬグラントで指定された上り共有チャネルを用いてＡ−ＣＳＩ送信を行う。また、ＣＡを適用する場合、ＵＥは、あるセルに対するＵＬグラント（Ａ−ＣＳＩトリガ含む）を他のセルの下り制御チャネルで受信することができる。
【００１９】
ところで、将来の無線通信システム（例えば、ＮＲ）においては、既存のＬＴＥシステム（例えば、ＬＴＥ  Ｒｅｌ．１３以前）とは異なる構成を用いたＣＳＩ報告を利用することが考えられる。
【００２０】
既存のＬＴＥシステムではサブフレーム単位で割当てが制御される上り共有チャネル（例えば、ＰＵＳＣＨ）を利用してＣＳＩ報告が制御される。一方、ＮＲではＯＦＤＭシンボル（以下、シンボルとも記す）単位で割当てが制御されるＰＵＳＣＨを利用してＣＳＩ報告を行うことが想定される。
【００２１】
このように、既存のＬＴＥシステムと異なるＰＵＳＣＨ構成を適用してＣＳＩ報告（例えば、Ａ−ＣＳＩ報告）を行う場合、既存のＬＴＥシステムのＣＳＩ報告の制御方法をそのまま適用することは困難となる。
【００２２】
例えば、ＵＥが所定シンボルを利用したＵＬ送信（又は、所定シンボルに割当てるＵＬ送信）を一つとする、つまり複数のＵＬ送信期間が同じシンボルで重複しないように送信する場合、基地局側でＵＬ送信の指示（又は、トリガ）をどのように制御するかが問題となる。
【００２３】
例えば、複数のセル（又は、ＣＣ）を利用するキャリアアグリゲーション（ＣＡ）を適用する場合、基地局が同じシンボルで重複するＡ−ＣＳＩ報告用のトリガ数をどのように制御するかが問題となる。つまり、基地局側で送信期間が少なくとも一部のシンボルで重複するＵＬ送信の指示を許容するか否かが問題となる。また、送信期間が少なくとも一部のシンボルで重複するＵＬ送信の指示を許容する場合にはＵＬ送信をどのように制御するかが問題となる。
【００２４】
図１は、基地局が少なくとも所定シンボルで送信期間が重複する複数のＡ−ＣＳＩをトリガする場合を示している。ここでは、異なる下り制御情報（例えば、ＤＣＩ）でそれぞれＡ−ＣＳＩ＃１とＡ−ＣＳＩ＃２がトリガされる場合を示している。また、Ａ−ＣＳＩ＃１とＡ−ＣＳＩ＃２は、少なくとも一部のシンボルで送信期間が重複するＰＵＳＣＨ＃１とＰＵＳＣＨ＃２を利用して送信することが基地局からＵＥに指示される。
【００２５】
このように少なくとも一部のシンボルで送信期間が重複する複数のＡ−ＣＳＩ（又は、ＰＵＳＣＨ）等がトリガされることが許容される場合（図１参照）、ＵＥはトリガされたＡ−ＣＳＩ等の送信をどのように制御するかが問題となる。
【００２６】
そこで、本発明者らは、シンボル単位で送信期間が重複するＡ−ＣＳＩ等のＵＬ送信のトリガ有無とＵＬ送信の送信制御について検討し、当該ＵＬ送信を適切に行うための方法を着想した。
【００２７】
以下、本開示に係る実施形態について、図面を参照して詳細に説明する。各実施形態に係る無線通信方法は、それぞれ単独で適用されてもよいし、組み合わせて適用されてもよい。
【００２８】
ここで、「重複」は、複数の信号及び／又はチャネルが少なくとも一部の同一時間リソース（例えば、同じシンボル）において送信される（送信をトリガ又はスケジュールされる）ことを表す。なお、「重複」は、「衝突」又は「オーバーラップ」と読み替えられてもよい。
【００２９】
時間リソースの単位は、シンボルに限られず、スロット、ミニスロット、サブフレームなどで読み替えられてもよい。
【００３０】
また、以下の実施の態様は、ＣＡを行う場合だけでなくＣＡを行わない場合にも適用することができる。また、以下の説明では、ＵＬ送信としてＡ−ＣＳＩを主に例に挙げて説明するが、他のＵＬ送信に適用してもよい。他のＵＬ送信は、下り制御情報（例えば、ＤＣＩ）でスケジューリングされるＵＬデータ（又は、ＰＵＳＣＨ）送信、ＤＣＩでスケジューリングされないＵＬデータ（又は、ＰＵＳＣＨ）送信、サウンディングリファレンス信号（例えば、ＳＲＳ）送信であってもよい。
【００３１】
また、以下の実施の態様は、Ｐ−ＣＳＩ又はＳＰ−ＣＳＩに対しても適用してもよい。ＳＰ−ＣＳＩは、半永続的（半持続的、セミパーシステント（Semi-Persistent））に指定されるリソースを用いたＣＳＩ報告を指す。
【００３２】
（第１の態様）
第１の態様は、少なくとも所定セルにおいて、所定シンボルを利用したＵＬ送信（例えば、Ａ−ＣＳＩ報告）を１つに制限する。つまり、所定シンボルにおいて送信期間が重複する複数のＵＬ送信（例えば、Ａ−ＣＳＩ）を制限し、ＵＬ送信がシンボルレベルで重複しないようにトリガを制御する。
【００３３】
ＵＥは、所定サービングセルにおいて、異なるＤＣＩでトリガされるＡ−ＣＳＩ報告が同じシンボルで重複しないと想定してもよい。例えば、Ａ−ＣＳＩ報告がＰＵＳＣＨを利用して行われる場合、ＵＥは、各ＤＣＩでトリガされたＡ−ＣＳＩがそれぞれ割当てられるＰＵＳＣＨリソースが重複しないシンボルにスケジュールされると想定する（図２参照）。
【００３４】
図２は、Ａ−ＣＳＩ＃１の送信に利用するＰＵＳＣＨ＃１と、Ａ−ＣＳＩ＃２の送信に利用するＰＵＳＣＨ＃２がそれぞれ異なるシンボル（例えば、重複しないシンボル）にスケジューリングされる場合の一例を示している。Ａ−ＣＳＩ＃１のトリガを指示するＤＣＩには、ＰＵＳＣＨ＃１のスケジューリング情報（例えば、ＰＵＳＣＨ＃１のリソース情報）が含まれていてもよい。同様に、Ａ−ＣＳＩ＃２のトリガを指示するＤＣＩには、ＰＵＳＣＨ＃２のスケジューリング情報（例えば、ＰＵＳＣＨ＃２のリソース情報）が含まれていてもよい。
【００３５】
このように、所定シンボルを利用したＵＬ送信（例えば、Ａ−ＣＳＩ報告）を１つに制限することにより、複数のＵＬ送信が重複するケースを考慮する必要がないため、Ａ−ＣＳＩ等の送信処理を簡略化することができる。
【００３６】
なお、ＵＬにおいてＣＡが適用される場合、異なるサービングセル（又は、ＣＣ）間では、異なるＤＣＩでトリガされる複数のＡ−ＣＳＩ（又は、各Ａ−ＣＳＩを多重する複数のＰＵＳＣＨ）が少なくとも一部のシンボルで重複する構成としてもよい。
【００３７】
あるいは、ＵＥは、所定のＰＵＣＣＨグループ及びセルグループの少なくとも一つにおいて、異なるＤＣＩでトリガされるＡ−ＣＳＩ報告の送信期間が同じシンボルで重複しないと想定してもよい。この場合、ＵＥは、ＵＬにおいてＣＡが適用される場合、同じＰＵＣＣＨグループ（又はセルグループ）に含まれる複数のＣＣ間において、複数のＡ−ＣＳＩ（又は、各Ａ−ＣＳＩを多重する複数のＰＵＳＣＨ）が同じシンボルで重複されないと想定する。
【００３８】
ＰＵＣＣＨグループは、ＰＵＣＣＨの送信を行うセル（ＰＣｅｌｌ又はＰＵＣＣＨ  ＳＣｅｌｌ）に対応づけられるセカンダリセルを含む複数のセルで構成されるグループである。また、セルグループは、デュアルコネクティビティ（ＤＣ）を適用する場合のＰＣｅｌｌを含むマスタセルグループ（ＭＣＧ）と、ＰＳＣｅｌｌを含むセカンダリセルグループ（ＳＣＧ）を含むグループである。
【００３９】
このように、ＰＵＣＣＨグループ又はセルグループにおいて、複数のＡ−ＣＳＩ報告の送信期間が同じシンボルで重複しないように制御することにより、ＰＵＣＣＨグループまたはセルグループが異なるセル間ではＡ−ＣＳＩ報告の送信期間を同じシンボルで重複させることができる。その結果、複数のＰＵＣＣＨグループ及び／又はセルグループが設定された場合に、より柔軟にＡ−ＣＳＩ報告を制御することができる。
【００４０】
＜変形例＞
異なるＤＣＩでトリガされる複数のＡ−ＣＳＩ報告は、同一のスロット内で行われる構成としてもよい。つまり、当該複数のＡ−ＣＳＩ報告の送信期間（又は、各Ａ−ＣＳＩ報告に利用するＰＵＳＣＨの送信期間）が所定スロットにおいて同じシンボルで重複しないように制御してもよい（図３Ａ参照）。
【００４１】
図３Ａでは、ＤＣＩ＃１でトリガされるＡ−ＣＳＩ（又は、スケジューリングされるＰＵＳＣＨ＃１）と、ＤＣＩ＃２でトリガされるＡ−ＣＳＩ＃２（又はスケジューリングされるＰＵＳＣＨ＃２）が同一スロット内容の異なるシンボルで送信される。このように、スロット内の異なるシンボルを利用した複数のＡ−ＣＳＩ等のＵＬ送信のトリガを許容することにより、Ａ−ＣＳＩ報告等の遅延を抑制することができる。
【００４２】
あるいは、異なるＤＣＩでトリガされる複数のＡ−ＣＳＩ報告は、同一のスロット内で行わない構成としてもよい。つまり、当該複数のＡ−ＣＳＩ報告の送信期間（又は、各Ａ−ＣＳＩ報告に利用するＰＵＳＣＨの送信期間）が同じスロットで重複しないように制御してもよい（図３Ｂ参照）。図３Ｂでは、所定スロットにおいて、ＤＣＩ＃１でトリガされるＡ−ＣＳＩ（又は、スケジューリングされるＰＵＳＣＨ＃１）のみが送信される場合を示している。このようにすることで、複数のＵＬ送信がスロット内で重複するケースを考慮する必要がないため、Ａ−ＣＳＩ等の送信処理をさらに簡略化することができる。
【００４３】
また、上述したＵＬ送信制御において、所定シンボルを利用したＵＬ送信（例えば、Ａ−ＣＳＩ報告）を、スロットあたり最大１つに制限する必要があるか、スロットあたりは２つ以上と出来るものの所定シンボルあたり最大１つに制限するかを、ユーザ端末が、端末能力情報（ＵＥ  ｃａｐａｂｉｌｉｔｙ  ｓｉｇｎａｌｌｉｎｇ）として無線基地局に報告するものとしてもよい。これにより、無線基地局は、報告された端末能力情報をもとに、所定シンボルを利用したＵＬ送信（例えば、Ａ−ＣＳＩ報告）を適切に制御することができる。
【００４４】
（第２の態様）
第２の態様は、所定シンボルを利用したＵＬ送信（例えば、Ａ−ＣＳＩ報告）を複数トリガすることを許容する一方で、当該所定シンボルを利用した実際のＵＬ送信（例えば、Ａ−ＣＳＩ報告又はＰＵＳＣＨ送信）を一つに制限する。つまり、無線基地局は、所定シンボルにおいて送信期間が重複する複数のＵＬ送信（例えば、Ａ−ＣＳＩ）のトリガを行えるものとし、ユーザ端末は、重複するＵＬ送信のうち一部を送信する（残りをドロップ又はキャンセルする）ように制御する。
【００４５】
図４は、所定シンボルにおいてＮ個（Ｎ＞１、ここではＮ＝３）のＰＵＳＣＨ＃１−＃３が重複してスケジューリングされる場合を示している。例えば、基地局は、ＰＵＳＣＨ＃１−＃３を利用したＮ個のＡ−ＣＳＩ（例えば、Ａ−ＣＳＩ＃１−＃３）報告をトリガする。ＵＥは、Ｎ個のＡ−ＣＳＩ報告のうち一部（例えば、１つのＡ−ＣＳＩ）を選択して報告するように制御する。
【００４６】
つまり、ＵＥは、同じシンボルを利用して送信される複数のＵＬ送信（例えば、Ａ−ＣＳＩ報告（又は、Ａ−ＣＳＩを多重するＰＵＳＣＨ送信））がトリガされた場合、所定条件に基づいて一部のＵＬ送信を選択し、残りのＵＬ送信をドロップする。
【００４７】
以下に、ＵＬ送信（例えば、Ａ−ＣＳＩ又はＰＵＳＣＨ）の所定のドロップ条件又は送信条件に基づいてＵＬ送信を制御する場合について例を挙げて説明する。なお、以下の説明では、第１のＰＵＳＣＨ送信と、当該第１のＰＵＳＣＨ送信より送信開始タイミングが遅い第２のＰＵＳＣＨ送信を例に挙げて説明するが、適用可能なＰＵＳＣＨ送信は２つに限られない。また、第１のＰＵＳＣＨ送信及び第２のＰＵＳＣＨ送信は、ＰＵＳＣＨ送信以外の他のＵＬ送信に置き換えてもよい。
【００４８】
＜ＵＬ送信方法１＞
ＵＬ送信方法１では、送信開始タイミングに基づいて送信又はドロップすべきＵＬ送信（例えば、送信に利用するＰＵＳＣＨリソース、Ａ−ＣＳＩ送信、ＵＬデータ等）を判断する。
【００４９】
例えば、送信開始タイミングが遅い第２のＰＵＳＣＨ送信（又は、第２のＰＵＳＣＨリソースを利用した送信）を第１のＰＵＳＣＨ送信（又は、第１のＰＵＳＣＨリソースを利用した送信）より優先して送信を行うように制御してもよい。つまり、ＵＥは、第１のＰＵＳＣＨ送信（又は、第１のＡ−ＣＳＩ報告）と第２のＰＵＳＣＨ送信（又は、第２のＡ−ＣＳＩ報告）がトリガされた場合、送信開始タイミングが早い第１のＰＵＳＣＨ送信（on-going  PUSCH送信）をキャンセルし、第２のＰＵＳＣＨ送信を行う（図５参照）。
【００５０】
なお、ここで所定のＰＵＳＣＨ送信をドロップまたはキャンセルする、とは、キャンセル動作を開始してから当該ＰＵＳＣＨ送信に与える送信電力を所定時間（例えば２０ｕｓ）内に所定レベル（例えば−４０ｄＢｍ）以下とする、などと定義してもよい。この場合、ユーザ端末がドロップまたはキャンセルした所定のＰＵＳＣＨ送信を継続することを回避し、干渉を減らすことができる。または当該ＰＵＳＣＨ送信の送信品質（例えばＥＶＭ）を所定レベル以下にすることを許容する、などと定義してもよい。この場合、実際に送信を止めるか否か（またはどのように止めるか）はユーザ端末次第となるため、多様な実装によりキャンセル動作を実現できるようになる。
【００５１】
図５では、少なくとも一部のシンボルで送信期間が重複する第１のＰＵＳＣＨリソースを利用した送信（ＰＵＳＣＨ＃ａ）と、第２のＰＵＳＣＨリソースを利用した送信（ＰＵＳＣＨ＃ｂ）がトリガ又はスケジューリングされた場合、ＰＵＳＣＨ＃ｂを優先して送信する場合を示している。このように、送信開始タイミングが遅い第２のＰＵＳＣＨリソースを利用した送信を優先することにより、基地局から指示された最新の指示に基づいてＵＬ送信を制御することができる。
【００５２】
図５において、ＵＥは、第１のＰＵＳＣＨリソース（ＰＵＳＣＨ＃ａ）を利用して送信するＵＬ信号（例えば、Ａ−ＣＳＩ及びＵＬデータの少なくとも一つ）をドロップ又はキャンセルする。例えば、ＰＵＳＣＨ＃ａを用いてＡ−ＣＳＩ報告ＩＤ＃１及び＃３を含むＡ−ＣＳＩ＃ａを送信し、ＰＵＳＣＨ＃ｂを用いてＡ−ＣＳＩ報告ＩＤ＃２及び＃４を含むＡ−ＣＳＩ＃ｂを送信することが基地局からＵＥに指示される場合を想定する。この場合、ＵＥは、ＰＵＳＣＨ＃ａをキャンセルし、ＰＵＳＣＨ＃ｂを利用してＡ−ＣＳＩ報告ＩＤ＃２及び＃４を含むＡ−ＣＳＩ＃ｂを送信するように制御する。
【００５３】
このように、基地局からトリガ又はスケジューリングされるＵＬ送信（例えば、ＰＵＳＣＨ送信）の送信開始タイミングに基づいて、送信するＰＵＳＣＨ及びドロップするＰＵＳＣＨの少なくとも一方を決定する。これにより、少なくとも一部のシンボルで送信期間が重複するＰＵＳＣＨ送信（例えば、Ａ−ＣＳＩ報告）がトリガされた場合でも、送信すべきＰＵＳＣＨ送信を適切に判断して送信できる。
【００５４】
＜ＵＬ送信方法２＞
ＵＬ送信方法２では、送信開始タイミング及び所定の優先条件の少なくとも一つに基づいて送信又はドロップすべきＵＬ送信（例えば、送信に利用するＰＵＳＣＨリソース、Ａ−ＣＳＩ送信、ＵＬデータ等）を判断する。
【００５５】
例えば、送信開始タイミングが遅い第２のＰＵＳＣＨ送信（又は、第２のＰＵＳＣＨリソースを利用した送信）を第１のＰＵＳＣＨ送信（又は、第１のＰＵＳＣＨリソースを利用した送信）より優先して送信するように制御してもよい。また、第２のＰＵＳＣＨリソースを利用して送信するＵＬ信号は、所定の優先条件に基づいて決定する。
【００５６】
優先条件は、ＵＬ送信の方式（例えば、ＵＬ送信がＵＲＬＬＣ（Ultra  Reliable  and  Low  Latency  Communications）であるかｅＭＢＢ（enhanced  Mobile  Broad Band）であるか等）、ＵＬ信号種別、対応するセル種別、各信号のインデックス番号の少なくとも一つに基づいて決定してもよい。なお、優先条件は、あらかじめ仕様で定義してもよいし、基地局からＵＥに上位レイヤシグナリング及び下り制御情報の少なくとも一つを利用して通知してもよい。
【００５７】
例えば、以下の優先条件＃ａと優先条件＃ｂに基づいて、送信するＵＬ信号（又は、ドロップするＵＬ信号）を決定してもよい。この場合、優先条件＃ａに基づいて判断した後に、優先条件＃ｂを考慮すればよい。ここでは、優先条件＃ａがＵＬ送信の方式に関する優先度を示し、優先条件＃ｂがＵＬ信号種別に関する優先度を示している。なお、優先条件＃ｂとして、信号種別が同じＵＬ信号に対する優先条件をさらに規定してもよい。なお、優先条件＃ａ、＃ｂは、一例でありこれに限られない。各優先条件における優先順序は適宜入れ替えてもよい。また、ＵＬ送信の方式はＵＬＲＲＣとｅＭＢＢに限られない。
【００５８】
・優先条件＃ａ：ＵＲＬＬＣに対応するＵＬ信号をｅＭＢＢに対応するＵＬ信号より優先する（ＵＲＬＬＣ＞ｅＭＢＢ）
・優先条件＃ｂ：Ａ−ＣＳＩ＞Ａ−ＳＲＳ＞ＵＬデータ
【００５９】
［優先制御例１］
一例として、図５のＰＵＳＣＨ＃ａ又はＰＵＳＣＨ＃ｂの一方でＵＲＬＬＣ用のＡ−ＣＳＩがトリガされ、他方でｅＭＢＢ用のＡ−ＣＳＩがトリガされた場合を想定する。この場合、ＵＥは、優先条件＃ａに基づいて、ＰＵＳＣＨ＃ｂ（第２のＰＵＳＣＨリソース）を利用してＵＲＬＬＣ用のＡ−ＣＳＩ報告を行い、ｅＭＢＢ用のＡ−ＣＳＩをドロップするように制御してもよい。
【００６０】
［優先制御例２］
他の例として、図５のＰＵＳＣＨ＃ａ又はＰＵＳＣＨ＃ｂの一方でＵＲＬＬＣ用のＡ−ＣＳＩがトリガされ、他方でＵＲＬＬＣ用のＡ−ＣＳＩがトリガされた場合を想定する。この場合、ＵＥは、優先条件＃ａが同じであるため、優先条件＃ｂに基づいて送信するＵＬ信号（又は、ドロップするＵＬ信号）を決定する。なお、ここでは、ＵＬ信号種別はＡ−ＣＳＩで同じであるため、信号種別が同じＵＬ信号に対する優先条件を適用してもよい。
【００６１】
信号種別が同じＵＬ信号に対する優先条件は、Ａ−ＣＳＩの時間領域の動作方法、Ａ−ＣＳＩの内容、Ａ−ＣＳＩが対応するセルｉＤ、及びＣＳＩ報告ＩＤの少なくとも一つに基づいて決定してもよい。例えば、以下の優先条件＃ｂ１−＃ｂ４に基づいて、送信するＣＳＩを決定してもよい。この場合、優先条件＃ｂ−１〜＃ｂ−４の順に優先的に適用する。
【００６２】
・優先条件＃ｂ−１：時間領域の動作（Ａ−ＣＳＩ＞ＰＵＳＣＨを利用したＳＰ−ＣＳＩ＞ＰＵＣＣＨを利用したＳＰ−ＣＳＩ＞Ｐ−ＣＳＩ）
・優先条件＃ｂ−２：ＣＳＩ内容（ビーム報告＞ＣＳＩ）
・優先条件＃ｂ−３：セルＩＤ（ＰＣｅｌｌ＞ＰＳＣｅｌｌ＞ＳＣｅｌｌ（インデックスがより小さいＳＣｅｌｌ））
・優先条件＃ｂ−４：ＣＳＩ報告ＩＤ（インデックスがより小さいＣＳＩ報告ＩＤ）
【００６３】
一例として、図５において、ＰＵＳＣＨ＃ａを用いてＡ−ＣＳＩ報告ＩＤ＃１及び＃３を含むＡ−ＣＳＩ＃ａを送信し、ＰＵＳＣＨ＃ｂを用いてＡ−ＣＳＩ報告ＩＤ＃２及び＃４を含むＡ−ＣＳＩ＃ｂを送信することが基地局からＵＥに指示される場合を想定する。Ａ−ＣＳＩ＃ａとＡ−ＣＳＩ＃ｂ間で優先条件＃ｂ−１〜＃ｂ−３まで同じである場合、優先条件＃ｂ−４に基づいて、送信するＡ−ＣＳＩを決定する。例えば、ＵＥは、ＰＵＳＣＨ＃ｂ（第２のＰＵＳＣＨリソース）を利用して、Ａ−ＣＳＩ報告ＩＤ＃１とＡ−ＣＳＩ報告ＩＤ＃２の報告を行う。
【００６４】
このように、ＵＬ送信の方式及びＵＬ信号種別の少なくとも一つに基づいて、送信するＵＬ信号を選択することにより、送信期間が少なくとも一部のシンボルで重複するＰＵＳＣＨ送信がトリガされた場合でも、送信すべきＰＵＳＣＨリソースとＵＬ信号を適切に判断して送信できる。
【００６５】
［優先制御例３］
他の例として、ＰＵＳＣＨ＃ａ又はＰＵＳＣＨ＃ｂの一方でＡ−ＣＳＩのみがトリガされ、他方でＡ−ＣＳＩ及びＵＬデータがトリガ又はスケジューリングされた場合を想定する。図６では、ＰＵＳＣＨ＃ａを利用したＡ−ＣＳＩ＃ａ及びＵＬデータがトリガ又はスケジューリングされ、ＰＵＳＣＨ＃ｂを利用したＡ−ＣＳＩ＃ｂがトリガされる場合を示している。
【００６６】
例えば、ＵＬデータよりＡ−ＣＳＩの送信を優先する場合（ＵＬ送信の方式が同じであり、優先条件＃２を適用する場合）を想定する。この場合、ＰＵＳＣＨ＃ｂ（第２のＰＵＳＣＨリソース）を利用してＡ−ＣＳＩを選択的に送信する（ＵＬデータは送信しない）ように制御する（図６Ａ参照）。この場合、ＰＵＳＣＨ＃ｂで送信するＡ−ＣＳＩは、あらかじめＰＵＳＣＨ＃ｂ用にトリガされたＡ−ＣＳＩ＃ｂとしてもよい。あるいは、上述した優先条件＃ｂ−１〜＃ｂ−４に基づいて、送信するＡ−ＣＳＩを決定してもよい。
【００６７】
あるいは、Ａ−ＣＳＩ（例えば、Ａ−ＣＳＩ＃ｂ）よりＵＬデータの送信を優先する場合（例えば、ＵＬデータがＵＲＬＬＣを適用し、Ａ−ＣＳＩ＃ｂがｅＭＢＢを適用し、優先条件＃１を適用する場合）を想定する。この場合、ＰＵＳＣＨ＃ｂ（第２のＰＵＳＣＨリソース）を利用してＵＬデータをＡ−ＣＳＩ＃ｂより優先して送信するように制御する（図６Ｂ参照）。この場合、ＰＵＳＣＨ＃ｂで送信するＡ−ＣＳＩは、ＵＬデータと同様にＰＵＳＣＨ＃ａ用にトリガされたＡ−ＣＳＩ＃ａとしてもよい。あるいは、ＵＬデータのみ送信し、Ａ−ＣＳＩを送信しない構成としてもよい。
【００６８】
［優先制御例４］
他の例として、ＰＵＳＣＨ＃ａ又はＰＵＳＣＨ＃ｂの一方でＵＬデータのみがスケジューリングされ（Ａ−ＣＳＩ、Ａ−ＳＲＳのトリガなし）、他方でＵＬデータのみがスケジューリングされる（Ａ−ＣＳＩ、Ａ−ＳＲＳのトリガなし）場合を想定する。この場合、ＵＬ送信の方式に基づいて実際に送信するＵＬデータを決定する。例えば、一方がＵＲＬＬＣ用のＵＬデータであり、他方がｅＭＢＢ用のＵＬデータである場合、ＵＲＬＬＣ用のＵＬデータを所定のＰＵＳＣＨリソース（例えば、第２のＰＵＳＣＨリソース）を利用して送信する。
【００６９】
［優先制御例５］
他の例として、ＰＵＳＣＨ＃ａ又はＰＵＳＣＨ＃ｂの一方でＡ−ＳＲＳがトリガされ、他方でＡ−ＣＳＩ及びＵＬデータがトリガ又はスケジューリングされた場合を想定する。
【００７０】
ＵＥは、まずＡ−ＳＲＳに適用する送信方式と、Ａ−ＣＳＩ及びＵＬデータに適用する送信方式（優先条件＃ａ）を考慮する。例えば、Ａ−ＣＳＩ及びＵＬデータにＵＲＬＬＣを適用し、Ａ−ＳＲＳにｅＭＢＢを適用する場合、ＵＥは、Ａ−ＣＳＩ及びＵＬデータを優先して送信し、Ａ−ＳＲＳをドロップするように制御する。
【００７１】
Ａ−ＳＲＳに適用する送信方式と、Ａ−ＣＳＩ及びＵＬデータに適用する送信方式が同じである場合、ＵＥはＵＬ信号種別の優先度（優先条件＃ｂ）に基づいて送信するＵＬ信号を決定する。優先条件＃ｂがＡ−ＣＳＩ＞Ａ−ＳＲＳ＞ＵＬデータである場合、Ａ−ＣＳＩの送信が最も優先されるため、ＵＥは、少なくともＡ−ＣＳＩの送信を行う。
【００７２】
また、Ａ−ＣＳＩと同じＰＵＳＣＨにスケジューリングされたＵＬデータを送信し、Ａ−ＳＲＳをドロップするように制御してもよい。あるいは、ＵＬデータをドロップし、Ａ−ＣＳＩとＡ−ＳＲＳを送信するように制御してもよい。あるいは、ＵＬデータ及びＡ−ＳＲＳをドロップし、Ａ−ＣＳＩのみを送信するように制御してもよい。なお、ＵＬデータ及びＡ−ＳＲＳの少なくとも一つを送信するか否かは、送信に利用するＰＵＳＣＨリソース（例えば、ＰＵＳＣＨ＃ｂ）の容量に基づいて決定してもよい。
【００７３】
＜変形例＞
上記図５、図６では、少なくとも一部のシンボルで送信期間が重複するＰＵＳＣＨ送信（例えば、Ａ−ＣＳＩ報告）がトリガされた場合に送信開始タイミングが遅い第２のＰＵＳＣＨリソース（ＰＵＳＣＨ＃ｂ）を利用する場合を示したが、これに限られない。例えば、図７に示すように、送信開始タイミングが早い第１のＰＵＳＣＨリソース（ＰＵＳＣＨ＃ａ）を利用してもよい。
【００７４】
例えば、図６Ａ、図６Ｂで第２のＰＵＳＣＨリソース（ＰＵＳＣＨ＃ｂ）を利用するのではなく、図７Ａ、図７Ｂに示すように第１のＰＵＳＣＨリソース（ＰＵＳＣＨ＃ａ）を利用する構成としてもよい。
【００７５】
あるいは、少なくとも一部のシンボルで送信期間が重複するＰＵＳＣＨ送信（例えば、Ａ−ＣＳＩ報告）がトリガされた場合、送信開始タイミングでなく他のパラメータ（例えば、送信期間の長さ等）に基づいてＵＬ送信に利用するＰＵＳＣＨリソースを選択してもよい。
【００７６】
あるいは、実際に送信するＵＬ信号（例えば、Ａ−ＣＳＩ及びＵＬデータの少なくとも一つ）に基づいて送信に利用するＰＵＳＣＨリソースを選択してもよい。例えば、ＵＬデータがスケジューリングされるＰＵＳＣＨリソース（例えば、図６のＰＵＳＣＨ＃ａ）は、Ａ−ＣＳＩのみがトリガされるＰＵＳＣＨリソース（例えば、図６のＰＵＳＣＨ＃ｂ）より割当てられるリソース（例えば、ＰＲＢ）数が多くなる。
【００７７】
この場合、所定の優先条件に基づいてＵＬデータの送信を行う場合、ＵＥは、当該ＵＬデータがスケジューリングされたＰＵＳＣＨリソース（図６ではＰＵＳＣＨ＃ａ）を利用してＵＬ送信を行うように制御してもよい。これにより、実際の送信を行うＵＬ送信（例えば、ＵＬデータ）用に割当てられたＰＵＳＣＨリソースを利用できるため、ＰＵＳＣＨリソースが不足する等の問題を回避することができる。
【００７８】
また、上記説明では、異なるＤＣＩでトリガされたＡ−ＣＳＩの送信に利用される複数のＰＵＳＣＨが所定シンボルで重複する場合、Ａ−ＣＳＩの一方を送信する場合を示したがこれに限られない。ＵＥは、所定のＰＵＳＣＨに割当てるリソース量により決まる符号化率に基づいて当該所定のＰＵＳＣＨに多重するＡ−ＣＳＩを制御してもよい。
【００７９】
例えば、異なるＤＣＩでトリガされる複数のＡ−ＣＳＩを所定のＰＵＳＣＨリソースで送信する際に、符号化率が所定値以下となる場合には、当該複数のＡ−ＣＳＩを所定のＰＵＳＣＨに多重して送信してもよい。これにより、ＵＬ送信に利用するＰＵＳＣＨリソース等に基づいてより多くのＡ−ＣＳＩ等を送信できるため、リソースの利用効率を向上することができる。
【００８０】
（第３の態様）
第３の態様は、異なるＤＣＩでトリガされたＡ−ＣＳＩ等の送信に利用される複数のＰＵＳＣＨが所定シンボルで重複する場合、当該複数のＰＵＳＣＨが重複しないように送信開始タイミングをシフトするように制御する。
【００８１】
図８は、少なくとも一部のシンボルで重複する第１のＰＵＳＣＨリソースを利用した送信（ＰＵＳＣＨ＃ａ）と、第２のＰＵＳＣＨリソースを利用した送信（ＰＵＳＣＨ＃ｂ）がトリガ又はスケジューリングされた場合、ＰＵＳＣＨ＃ａとＰＵＳＣＨ＃ｂが重複しないようにシフトする場合を示している。
【００８２】
ここでは、送信開始タイミングが遅いＰＵＳＣＨ＃ｂの送信開始タイミングをシフトして、ＰＵＳＣＨ＃ａと重複しないように制御する場合を示している。図８では、ＰＵＳＣＨ＃ａに続けてＰＵＳＣＨ＃ｂが連続して送信されるようにシフトする場合（ＰＵＳＣＨ＃ａの末尾シンボルの次シンボルがＰＵＳＣＨ＃ｂの開始シンボルとなる場合）を示している。これにより、ＰＵＳＣＨ＃ｂの遅延の影響を最小限に抑えることができる。
【００８３】
なお、ＰＵＳＣＨ＃ａとＰＵＳＣＨ＃ｂが連続しないように当該ＰＵＳＣＨ＃ｂをシフトしてもよい。例えば、当該ＰＵＳＣＨ＃ｂを、以降の所定スロットで送信するようシフトしてもよい。所定スロットは、上位レイヤシグナリングで定められるＵＬ−ＤＬ割り当てやスロットフォーマット通知（ＳＦＩ）、によって指定されるＵＬ−ＤＬ割り当てで、ＵＬと指定・設定された時間区間を有するスロットであってもよい。また、当該所定スロットに対してシフトした場合、当該スロットにおけるＰＵＳＣＨ＃ｂの送信開始シンボルは、当初ＤＣＩによって指定されたスタートシンボルと同一であってもよい。これにより、ＰＵＳＣＨ＃ｂの送信タイミングを柔軟に制御することができる。
【００８４】
なお、ＰＵＳＣＨ＃ｂをシフトせずに、ＰＵＳＣＨ＃ａと重複するＰＵＳＣＨ＃ｂのシンボルを利用せずにＰＵＳＣＨ＃ｂの送信を行うように制御してもよい。
【００８５】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【００８６】
図９は、一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【００８７】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【００８８】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【００８９】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【００９０】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００９１】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【００９２】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【００９３】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【００９４】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【００９５】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【００９６】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【００９７】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【００９８】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【００９９】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１００】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１０１】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１０２】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１０３】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１０４】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１０５】
（無線基地局）
図１０は、一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１０６】
下りリンクによって無線基地局１０からユーザ端末２０に送信されるユーザデータは、上位局装置３０から伝送路インターフェース１０６を介してベースバンド信号処理部１０４に入力される。
【０１０７】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１０８】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１０９】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１１０】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１１１】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１１２】
送受信部１０３は、ＤＣＩで指定するリソースを用いて、ユーザ端末２０から送信されたチャネル状態情報（例えば、Ａ−ＣＳＩ）を受信してもよい。送受信部１０３は、ユーザ端末２０に対して、ＣＳＩの送信指示（トリガ又はＵＬグラント）を送信してもよい。また、送受信部１０３は、Ａ−ＣＳＩ報告の優先度に関する情報などを、ユーザ端末２０に送信してもよい。
【０１１３】
図１１は、本開示の一実施形態に係る無線基地局の機能構成の一例を示す図である。なお、本例では、本実施形態における特徴部分の機能ブロックを主に示しており、無線基地局１０は、無線通信に必要な他の機能ブロックも有すると想定されてもよい。
【０１１４】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１１５】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１１６】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１１７】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１１８】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１１９】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１２０】
制御部３０１は、複数のＵＬ信号（例えば、Ａ−ＣＳＩ）の送信期間が同じシンボルで重複しないように制御してもよい。また、異なる下り制御情報に基づいて送信を指示する複数のＵＬ信号の送信期間が同一スロット内の異なるシンボルに設定するように制御してもよいし、複数のＵＬ信号の送信期間が同一スロット内には設定されないように制御してもよい。
【０１２１】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１２２】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１２３】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１２４】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１２５】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１２６】
測定部３０５は、受信した信号に関する測定を実施する。測定部３０５は、本開示に係る技術分野での共通認識に基づいて説明される測定器、測定回路又は測定装置から構成することができる。
【０１２７】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１２８】
（ユーザ端末）
図１２は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１２９】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１３０】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１３１】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１３２】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１３３】
送受信部２０３は、基地局からの指示に基づいて１以上のＵＬ信号を上り共有チャネルを利用して送信する。送受信部２０３は、ＣＳＩの送信指示（トリガ又はＵＬグラント）を受信してもよい。また、送受信部２０３は、Ａ−ＣＳＩ報告の優先度に関する情報などを受信してもよい。
【０１３４】
図１３は、一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１３５】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１３６】
制御部４０１は、ユーザ端末２０全体の制御を実施する。制御部４０１は、本開示に係る技術分野での共通認識に基づいて説明されるコントローラ、制御回路又は制御装置から構成することができる。
【０１３７】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１３８】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１３９】
制御部４０１は、複数のＵＬ信号の送信期間が同じシンボルで重複しないと想定して送信を制御してもよい。この場合、制御部４０１は、異なる下り制御情報に基づいて送信が指示される前記複数のＵＬ信号の送信期間が同一スロット内の異なるシンボルに設定され得ると想定してもよい。
【０１４０】
あるいは、制御部４０１は、複数のＵＬ信号の送信期間の少なくとも一部が同じシンボルで重複する場合に、一部のＵＬ信号を選択して送信するように制御してもよい。例えば、制御部４０１は、複数のＵＬ信号の送信用に複数の上り共有チャネルがスケジューリングされる場合、送信開始タイミングが遅い上り共有チャネルを利用して一部のＵＬ信号を送信するように制御してもよい。また、制御部４０１は、ＵＬ送信の方式、ＵＬ信号種別、ＵＬ送信に対応するセル種別、及びＵＬ信号のインデックス番号の少なくとも一つに基づいて前記一部のＵＬ信号を決定してもよい。
【０１４１】
あるいは、制御部４０１は、複数のＵＬ信号の送信用にスケジューリングされる複数の上り共有チャネルの送信期間の少なくとも一部が同じシンボルで重複する場合に、複数の上り共有チャネルの送信期間が重複しないように少なくとも一つの上り共有チャネルの送信開始タイミングをシフトするように制御してもよい。
【０１４２】
また、制御部４０１は、無線基地局１０から通知された各種情報を受信信号処理部４０４から取得した場合、当該情報に基づいて制御に用いるパラメータを更新してもよい。
【０１４３】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１４４】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１４５】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１４６】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１４７】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１４８】
測定部４０５は、受信した信号に関する測定を実施する。測定部４０５は、本開示に係る技術分野での共通認識に基づいて説明される測定器、測定回路又は測定装置から構成することができる。
【０１４９】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１５０】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１５１】
例えば、本開示の一実施形態における無線基地局、ユーザ端末などは、本開示の無線通信方法の処理を行うコンピュータとして機能してもよい。図１４は、一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１５２】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１５３】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１５４】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１５５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１５６】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１５７】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、一実施形態に係る無線通信方法を実施するために実行可能なプログラム（プログラムコード）、ソフトウェアモジュールなどを保存することができる。
【０１５８】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１５９】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１６０】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１６１】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１６２】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１６３】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１６４】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０１６５】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０１６６】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１６７】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１６８】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１６９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１７０】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１７１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１７２】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１７３】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１７４】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１７５】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１７６】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１７７】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１７８】
また、情報、信号などは、上位レイヤから下位レイヤ、及び／又は下位レイヤから上位レイヤへ出力され得る。情報、信号などは、複数のネットワークノードを介して入出力されてもよい。
【０１７９】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１８０】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１８１】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０１８２】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１８３】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１８４】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１８５】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０１８６】
本明細書において使用する「システム」及び「ネットワーク」という用語は、互換的に使用される。
【０１８７】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０１８８】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０１８９】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０１９０】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１９１】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本開示の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０１９２】
同様に、本明細書におけるユーザ端末は、無線基地局で読み替えてもよい。この場合、上述のユーザ端末２０が有する機能を無線基地局１０が有する構成としてもよい。
【０１９３】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０１９４】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１９５】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０１９６】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１９７】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０１９８】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０１９９】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２００】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２０１】
本明細書において、「ＡとＢが異なる」という用語は、「ＡとＢが互いに異なる」ことを意味してもよい。「離れる」、「結合される」などの用語も同様に解釈されてもよい。
【０２０２】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２０３】
以上、本開示に係る発明について詳細に説明したが、当業者にとっては、本開示に係る発明が本明細書中に説明した実施形態に限定されないということは明らかである。本開示に係る発明は、請求の範囲の記載に基づいて定まる発明の趣旨及び範囲を逸脱することなく修正及び変更態様として実施することができる。したがって、本明細書の記載は、例示説明を目的とし、本開示に係る発明に対して何ら制限的な意味をもたらさない。
【図１】
2019180886.tif 000003
【図２】
2019180886.tif 000004
【図３】
2019180886.tif 000005
【図４】
2019180886.tif 000006
【図５】
2019180886.tif 000007
【図６】
2019180886.tif 000008
【図７】
2019180886.tif 000009
【図８】
2019180886.tif 000010
【図９】
2019180886.tif 000011
【図１０】
2019180886.tif 000012
【図１１】
2019180886.tif 000013
【図１２】
2019180886.tif 000014
【図１３】
2019180886.tif 000015
【図１４】
2019180886.tif 000016
【国際調査報告】
2019180886.tif 000017
2019180886.tif 000018
2019180886.tif 000019